(57)【特許請求の範囲】
【請求項１】
公衆網に接続された構内自動交換機と複数の内線電話機とから成る構内自動交換システムであって、
前記構内自動交換機は、発信元の電話番号が通知される公衆網とのインターフェースを司る局線インターフェース部と、内線電話機とのインターフェースを司る内線インターフェース部と、前記局線インターフェース部と前記内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、前記コールバック管理テーブル部の情報に基づいて内線側からのかけ直しのための処理を行うコールバック制御部とを有し、
前記内線電話機はかけ直しを指示するコールバックボタンを有し、
前記コールバック制御部は、着信通話中に前記コールバックボタンが押されると、前記発信元番号記憶部に記憶された発信元の電話番号と現在通話中の内線電話機の番号とを前記コールバック管理テーブルに登録し、通話終了後、予め設定された時間が経過すると、前記コールバック管理テーブル部の情報に基づき、前記発信元へ自動的に発信を行い、自動接続を行うことを特徴とする構内自動交換システム。
【請求項２】
公衆網に接続された構内自動交換機と複数の内線電話機とから成る構内自動交換システムであって、
前記構内自動交換機は、発信元の電話番号が通知される公衆網とのインターフェースを司る局線インターフェース部と、内線電話機とのインターフェースを司る内線インターフェース部と、前記局線インターフェース部と前記内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、前記コールバック管理テーブル部の情報に基づいて内線側からのかけ直しのための処理を行うコールバック制御部と、前記関連付け情報に基づいて前記コールバック制御部から指定された設定時間に応じたタイマ動作を行うコールバックタイマ部とを有し、
前記内線電話機はかけ直しを指示するコールバックボタンを有し、
前記コールバック制御部は、着信通話中に前記コールバックボタンが押されると、前記発信元番号記憶部に記憶された発信元の電話番号と現在通話中の内線電話機の番号とを前記コールバック管理テーブルに登録し、通話終了後、コールバックタイマ部から設定時間が経過したことを通知されると、前記コールバック管理テーブル部の情報に基づき、発信元へ自動的に発信を行い、自動接続を行うことを特徴とする構内自動交換システム。
【発明の詳細な説明】
【０００１】
【発明の属する技術分野】
本発明は、公衆網に接続された構内自動交換機と複数の内線電話機とから成る構内自動交換システムに関する。
【０００２】
【従来の技術】
図３は従来の構内自動交換システムを示すブロック図である。図３において、１は公衆網に接続され、複数の内線電話機Ａ〜Ｄが接続された構内自動交換機、２は公衆網とのインターフェースを司る局線インターフェース部、３は内線電話機Ａ〜Ｄとのインターフェースを司る内線インターフェース部、４は局線インターフェース部２と内線インターフェース部３との通話路のスイッチ制御を行う通話路スイッチ部、５は構内自動交換機１全体の制御を司るシステム制御部、６は各種情報を記憶するデータベース部である。
【０００３】
以上のように構成された従来の構内自動交換システムについて、その動作を説明する。
【０００４】
公衆網に接続された電話機から構内自動交換機１に接続された内線電話機に着信した場合についての動作を説明する。まず、局線インタフェース部２が公衆網からの着信を検出し、システム制御部５に通知する。するとシステム制御部５は、データベース部６を参照し、接続すべき内線電話機を検索する。検索により接続すべき内線電話機がＡだと判明すると、内線インタフェース部３に対して、内線電話機Ａの呼び鈴を鳴らすように指示する。指示に基づき内線インタフェース部３が内線電話機Ａの呼び鈴を鳴らすことにより、使用者は着信を知る。使用者が着信に応じるため内線電話機Ａの受話器を持ち上げると、内線インタフェース部３は、システム制御部５へ受話器が持ち上げられたことを通知する。その通知に基づき、システム制御部５は、着信した局線と内線電話機Ａとをつなげるように通話路スイッチ部４を切り替え、通話状態とする。
【０００５】
【発明が解決しようとする課題】
出張時等、出先から事務所への個人負担での連絡の際、通信費がかさむため、事務所側より折り返し電話をかけて欲しい場合があるが、従来の構内自動交換システムでは、かけ直して欲しい電話番号を内線電話機から口頭にて伝え、一旦通話を終了し、事務所側の人間が指定番号へかけ直す作業を行わなければならず、手間がかかり面倒な上に、通話直後ではなく一定時間後のかけ直しの場合、忘れてしまうという問題点を有していた。
【０００６】
この構内自動交換システムでは、かけ直しの設定が簡単で、通話終了後に自動的にかけ直しを行うことが要求されている。
【０００７】
本発明は、かけ直しの設定が簡単で、通話終了後に自動的にかけ直しを行うことができる構内自動交換システムを提供することを目的とする。
【０００８】
【課題を解決するための手段】
この課題を解決するために本発明の構内自動交換システムは、公衆網に接続された構内自動交換機と複数の内線電話機とから成る構内自動交換システムであって、構内自動交換機は、発信元の電話番号が通知される公衆網とのインターフェースを司る局線インターフェース部と、内線電話機とのインターフェースを司る内線インターフェース部と、局線インターフェース部と内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、コールバック管理テーブル部の情報に基づいて内線側からのかけ直しのための処理を行うコールバック制御部とを有し、内線電話機はかけ直しを指示するコールバックボタンを有し、コールバック制御部は、着信通話中に前記コールバックボタンが押されると、発信元番号記憶部に記憶された発信元の電話番号と現在通話中の内線電話機の番号とをコールバック管理テーブルに登録し、通話終了後、予め設定された時間が経過すると、コールバック管理テーブル部の情報に基づき、発信元へ自動的に発信を行い、自動接続を行う構成を備えている。
【０００９】
これにより、かけ直しの設定が簡単で、通話終了後に自動的にかけ直しを行うことができる構内自動交換システムが得られる。
【００１０】
【発明の実施の形態】
本発明の請求項１に記載の構内自動交換システムは、公衆網に接続された構内自動交換機と複数の内線電話機とから成る構内自動交換システムであって、構内自動交換機は、発信元の電話番号が通知される公衆網とのインターフェースを司る局線インターフェース部と、内線電話機とのインターフェースを司る内線インターフェース部と、局線インターフェース部と内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、コールバック管理テーブル部の情報に基づいて内線側からのかけ直しのための処理を行うコールバック制御部とを有し、内線電話機はかけ直しを指示するコールバックボタンを有し、コールバック制御部は、着信通話中に前記コールバックボタンが押されると、発信元番号記憶部に記憶された発信元の電話番号と現在通話中の内線電話機の番号とをコールバック管理テーブルに登録し、通話終了後、予め設定された時間が経過すると、コールバック管理テーブルの情報に基づき、発信元へ自動的に発信を行い、自動接続を行うこととしたものであり、コールバックボタンを押しさえすればかけ直しの設定がなされ、コールバックボタンが押されると、発信元番号記憶部に記憶された発信元の電話番号と現在通話中の内線電話機の番号とがコールバック管理テーブルに登録され、コールバック管理テーブル部に登録された発信元と内線電話機の番号に基づいて自動的にかけ直しが行われるという作用を有する。
【００１１】
請求項２に記載の構内自動交換システムは、公衆網に接続された構内自動交換機と複数の内線電話機とから成る構内自動交換システムであって、構内自動交換機は、発信元の電話番号が通知される公衆網とのインターフェースを司る局線インターフェース部と、内線電話機とのインターフェースを司る内線インターフェース部と、局線インターフェース部と内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、コールバック管理テーブル部の情報に基づいて内線側からのかけ直しのための処理を行うコールバック制御部と、関連付け情報に基づいてコールバック制御部から指定された設定時間に応じたタイマ動作を行うコールバックタイマ部とを有し、内線電話機はかけ直しを指示するコールバックボタンを有し、コールバック制御部は、着信通話中に前記コールバックボタンが押されると、発信元番号記憶部に記憶された発信元の電話番号と現在通話中の内線電話機の番号とをコールバック管理テーブルに登録し、通話終了後、コールバックタイマ部から設定時間が経過したことを通知されると、コールバック管理テーブル部の情報に基づき、発信元へ自動的に発信を行い、自動接続を行うこととしたものであり、コールバック間隔すなわち設定時間が関連付け情報の一部として内線電話機毎にコールバック管理テーブルに登録され、通話が終了して設定時間だけ経過した後に、コールバック管理テーブルに登録された発信元と内線電話機の番号に基づいて自動的にかけ直しが行われるという作用を有する。
【００１２】
（実施の形態１）
図１は本発明の実施の形態１による構内自動交換システムを示すブロック図である。
【００１３】
図１において、局線インタフェース部２、内線インタフェース部３、通話路スイッチ部４、システム制御部５、データベース部６は図３と同様のものなので、同一符号を付し、説明は省略する。１Ａは構内自動交換機、７は公衆網からの着信時に網から通知される発信元の電話番号を認識し、記憶する発信元番号記憶部、８は着信通話時に局線と接続された内線電話との関連付け情報を保持するコールバック管理テーブルを有するコールバック管理テーブル部、９はコールバック管理テーブルの情報に基づき、内線側からのかけ直しのための処理を行うコールバック制御部、Ａ１〜Ｄ１はかけ直しを指示するためのコールバックボタンＣＢ１を有する内線電話機である。
【００１４】
以上のように構成された構内自動交換システムについて、その動作を説明する。
【００１５】
公衆網に接続された電話機より構内自動交換機１Ａに接続された内線電話機に着信後、自動的にかけ直しを行うまでの動作について説明する。まず、局線インタフェース部２は、公衆網からの着信を検出した場合、システム制御部５に通知するとともに、発信元番号記憶部７に対し、着信時に公衆網より受け取った着信情報を渡す。発信元番号記憶部７は、着信情報を分析し、発信元の電話番号を認識し、内部に記憶する。また、システム制御部５は、データベース部６を参照し、接続すべき内線電話機を検索する。検索により接続すべき内線電話機がＡ１だと判明すると、内線インタフェース部３に対して、内線電話機Ａ１の呼び鈴を鳴らすように指示する。指示に基づき内線インタフェース部３が内線電話機Ａ１の呼び鈴を鳴らすことにより、使用者は着信を知る。使用者が着信に応じるため内線電話機Ａ１の受話器を持ち上げると、内線インタフェース部３は、システム制御部５へ受話器が持ち上げられたことを通知する。その通知に基づきシステム制御部５は、着信した局線と内線電話機Ａ１とをつなげるように通話路スイッチ部４を切り替え、通話状態とする。通話状態時に使用者が、今通話している相手に後からかけ直すために内線電話機Ａ１のコールバックボタンＣＢ１を押すと、内線インタフェース部３はそれを検出し、システム制御部５に通知する。通知を受けたシステム制御部５は、コールバック制御部９に対して、内線電話機Ａ１からコールバック要求があったことを通知する。その通知を受けて、コールバック制御部９は、発信元番号記憶部７から、内線電話機Ａ１と現在通話中の外線電話番号を取り出し、コールバック管理テーブル部８に内線電話機Ａ１から外線へのコールバック要求が発生したことを登録する。（表１）に、コールバック管理テーブルの一例を示す。
【００１６】
【表１】
0003744231.tif 000002
【００１７】
（表１）においては、内線番号３４５６の電話機から外線番号０１２３４５６７８９へのコールバック要求と、内線番号１２３４から外線番号０１２３４５６７００へのコールバック要求とが登録されていることを示している。
【００１８】
使用者が内線電話機Ａ１の受話器を戻すと、内線インタフェース部３は、それを検出し、システム制御部５に通知する。その通知に基づきシステム制御部５は現在の通話を終了させるべく、通話路スイッチ部４を切り替える。
【００１９】
更に、システム制御部５は、コールバック制御部９に対して、内線電話機Ａ１の通話が終了したことを通知する。それを受けてコールバック制御部９は、コールバック管理テーブルを参照し、内線電話機Ａ１からのコールバック要求がなかったか否かをチェックする。チェック後、内線電話機Ａ１からのコールバック要求があったことを検出すると、システム制御部５に対して、予め定められた時間後、内線電話機Ａ１からのコールバック要求があった外線（例えば（表１）に示す番号０１２３４５６７８９の外線）に発信するように指示する。この指示に基づき、システム制御部５が内線電話機Ａ１と指定の外線とを接続するための動作を行うことにより自動かけ直しが実現される。
【００２０】
以上のように本実施の形態によれば、公衆網からの着信時に公衆網から通知される発信元の電話番号を認識して記憶する発信元番号記憶部７と、着信通話時に局線と接続された内線電話機との関連付け情報を保持するコールバック管理テーブルを有するコールバック管理テーブル部８と、コールバック管理テーブル部８の情報に基づいて内線側からのかけ直しのための処理を行うコールバック制御部９と、内線電話機Ａ１〜Ｄ１のコールバックボタンＣＢ１とを設け、着信通話中にコールバックボタンＣＢ１が押されると、発信元番号記憶部７に記憶された発信元の電話番号と現在通話中の内線電話機の番号とをコールバック管理テーブルに登録し、通話終了後、予め設定された時間が経過すると、コールバック管理テーブル部８の情報に基づき、発信元へ自動的に発信を行い、自動接続を行うようにしたことにより、コールバックボタンＣＢ１を押しさえすればかけ直しを設定することができ、コールバックボタンＣＢ１を押すと、発信元番号記憶部７に記憶された発信元の電話番号と現在通話中の内線電話機の番号とがコールバック管理テーブルに登録されるので、かけ直しを簡単に行うことができると共に、コールバック管理テーブルに登録された発信元と内線電話機の番号に基づいて自動的にかけ直しを行うことができる。
【００２１】
（実施の形態２）
図２は本発明の実施の形態２による構内自動交換システムを示すブロック図である。
【００２２】
図２において、局線インタフェース部２、内線インタフェース部３、通話路スイッチ部４、システム制御部５、データベース部６、発信元番号記憶部７、コールバック管理テーブル部８、コールバック制御部９は図１と同様のものなので、同一符号を付し、説明は省略する。１Ｂは構内自動交換機、１０はコールバック制御部９から指定された設定時間に基づいたタイマ動作を行うコールバックタイマ部、Ａ２〜Ｄ２はかけ直しを指示するためのコールバックボタンＣＢ２を有する内線電話機である。
【００２３】
以上のように構成された構内自動交換システムについて、その動作を説明する。
【００２４】
公衆網に接続された電話機より構内自動交換機１Ｂに接続された内線電話機に着信後、自動的にかけ直しを行うまでの動作について説明する。まず、局線インタフェース部２は、公衆網からの着信を検出し、システム制御部５に通知するとともに、発信元番号記憶部７に対し、着信時に公衆網より受け取った着信情報を渡す。発信元番号記憶部７は、着信情報を分析し、発信元の電話番号を認識し、内部に記憶する。また、システム制御部５は、データベース部６を参照し、接続すべき内線電話機を検索する。検索により接続すべき内線電話機がＡ２だと判明すると、内線インタフェース部３に対して、内線電話機Ａ２の呼び鈴を鳴らすように指示する。指示に基づき内線インタフェース部３は、内線電話機Ａ２の呼び鈴を鳴らすことにより、使用者に着信を知らせる。使用者が着信に応じるため内線電話機Ａ２の受話器を持ち上げると、内線インタフェース部３は、システム制御部５へ受話器が持ち上げられたことを通知する。その通知に基づきシステム制御部５は、着信した局線と内線電話機Ａ２とをつなげるように通話路スイッチ部４を切り替えることにより、通話状態とする。通話状態時に使用者が、今通話している相手に後からかけ直すために内線電話機Ａ２のコールバックボタンＣＢ２を押すとともに、かけ直しの時間間隔を指定するために数字を示すプッシュボタンを押して２桁の番号を入力すると、内線インタフェース部３はそれを検出し、システム制御部５に通知する。通知を受けたシステム制御部５は、コールバック制御部９に対して、内線電話機Ａ２からコールバック要求があったことと２桁の数字を通知する。その通知を受けて、コールバック制御部９は、発信元番号記憶部７から、内線電話機Ａ２と現在通話中の外線電話番号を取り出し、コールバック管理テーブル部８のコールバック管理テーブルに内線電話機Ａ２から外線への設定時間（コールバック間隔）後のコールバック要求が発生したことを登録する。（表２）に、コールバック管理テーブルの一例を示す。
【００２５】
【表２】
0003744231.tif 000003
【００２６】
（表２）においては、内線番号３４５６の内線電話機から外線番号０１２３４５６７８９の電話機への５分後のコールバック要求と、内線番号１２３４の内線電話機から外線番号０１２３４５６７００の電話機への１０分後のコールバック要求とが登録されていることを示している。
【００２７】
使用者が内線電話機Ａ２の受話器を戻すと、内線インタフェース部３は、それを検出し、システム制御部５に通知する。その通知に基づきシステム制御部５は、現在の通話を終了させるべく、通話路スイッチ部４を切り替える。
【００２８】
更に、システム制御部５は、コールバック制御部９に対して、内線電話機Ａ２の通話が終了したことを通知する。それを受けてコールバック制御部９は、コールバック管理テーブルを参照し、内線電話機Ａ２からのコールバック要求がなかったか否かをチェックする。チェック後、内線電話機Ａ２からのコールバック要求があったことを検出すると、（表２）に示すコールバック間隔をチェックし、設定時間をコールバックタイマ部１０に設定する。設定時間後、コールバックタイマ部１０がタイムアウトすると、コールバック制御部９は、システム制御部５に対して、内線電話機Ａ２からのコールバック要求があった外線に対して発信するように指示する。この指示に基づき、システム制御部５が内線電話機Ａ２と指定の外線とを接続するための動作を行うことにより自動かけ直しが実現される。
【００２９】
以上のように本実施の形態によれば、公衆網からの着信時に公衆網から通知される発信元の電話番号を認識して記憶する発信元番号記憶部７と、着信通話時に局線と接続された内線電話機との関連付け情報を保持するコールバック管理テーブルを有するコールバック管理テーブル部８と、コールバック管理テーブル部８の情報に基づいて内線側からのかけ直しのための処理を行うコールバック制御部９と、関連付け情報に基づいてコールバック制御部９から指定された設定時間に応じたタイマ動作を行うコールバックタイマ部１０と、かけ直しを指示する内線電話機Ａ２〜Ｄ２のコールバックボタンＣＢ２とを設け、着信通話中にコールバックボタンＣＢ２が押されると、発信元番号記憶部７に記憶された発信元の電話番号と現在通話中の内線電話機の番号とをコールバック管理テーブルに登録し、通話終了後、コールバックタイマ部１０から設定時間が経過したことを通知されると、コールバック管理テーブル部の情報に基づき、発信元へ自動的に発信を行い、自動接続を行うようにしたことにより、コールバックボタンＣＢ２を押しさえすればかけ直しを設定することができ、コールバックボタンＣＢ２を押すと、発信元番号記憶部７に記憶された発信元の電話番号と現在通話中の内線電話機の番号とがコールバック管理テーブルに登録されると共にコールバック間隔（設定時間）が関連付け情報の一部として内線電話機毎にコールバック管理テーブルに登録されるので、かけ直しを簡単に設定できると共に、通話が終了して設定時間だけ経過した後に、コールバック管理テーブルに登録された発信元と内線電話機の番号に基づいて自動的にかけ直しを行うことができる。
【００３０】
【発明の効果】
以上のように本発明の請求項１に記載の構内自動交換システムによれば、公衆網に接続された構内自動交換機と複数の内線電話機とから成る構内自動交換システムであって、構内自動交換機は、発信元の電話番号が通知される公衆網とのインターフェースを司る局線インターフェース部と、内線電話機とのインターフェースを司る内線インターフェース部と、局線インターフェース部と内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、コールバック管理テーブル部の情報に基づいて内線側からのかけ直しのための処理を行うコールバック制御部とを有し、内線電話機はかけ直しを指示するコールバックボタンを有し、コールバック制御部は、着信通話中に前記コールバックボタンが押されると、発信元番号記憶部に記憶された発信元の電話番号と現在通話中の内線電話機の番号とをコールバック管理テーブルに登録し、通話終了後、予め設定された時間が経過すると、コールバック管理テーブル部の情報に基づき、発信元へ自動的に発信を行い、自動接続を行うことにより、コールバックボタンを押しさえすればかけ直しを設定することができ、コールバックボタンを押すと、発信元番号記憶部に記憶された発信元の電話番号と現在通話中の内線電話機の番号とがコールバック管理テーブルに登録されるので、かけ直しを簡単に行うことができると共に、コールバック管理テーブルに登録された発信元と内線電話機の番号に基づいて自動的にかけ直しを行うことができるという有利な効果が得られる。
【００３１】
請求項２に記載の構内自動交換システムによれば、公衆網に接続された構内自動交換機と複数の内線電話機とから成る構内自動交換システムであって、構内自動交換機は、発信元の電話番号が通知される公衆網とのインターフェースを司る局線インターフェース部と、内線電話機とのインターフェースを司る内線インターフェース部と、局線インターフェース部と内線インターフェース部との通話路のスイッチ制御を行う通話路スイッチ部と、全体の制御を行うシステム制御部と、各種情報を記憶するデータベース部と、公衆網からの着信時に公衆網から通知される発信元の電話番号を認識して記憶する発信元番号記憶部と、着信通話時に局線と接続された内線電話機との関連付け情報を保持するコールバック管理テーブルを有するコールバック管理テーブル部と、コールバック管理テーブル部の情報に基づいて内線側からのかけ直しのための処理を行うコールバック制御部と、関連付け情報に基づいてコールバック制御部から指定された設定時間に応じたタイマ動作を行うコールバックタイマ部とを有し、内線電話機はかけ直しを指示するコールバックボタンを有し、コールバック制御部は、着信通話中に前記コールバックボタンが押されると、発信元番号記憶部に記憶された発信元の電話番号と現在通話中の内線電話機の番号とをコールバック管理テーブルに登録し、通話終了後、コールバックタイマ部から設定時間が経過したことを通知されると、コールバック管理テーブル部の情報に基づき、発信元へ自動的に発信を行い、自動接続を行うことにより、コールバックボタンを押しさえすればかけ直しを設定することができ、コールバックボタンを押すと、発信元番号記憶部に記憶された発信元の電話番号と現在通話中の内線電話機の番号とがコールバック管理テーブルに登録されると共にコールバック間隔（設定時間）が関連付け情報の一部として内線電話機毎にコールバック管理テーブルに登録されるので、かけ直しを簡単に設定できると共に、通話が終了して設定時間だけ経過した後に、コールバック管理テーブルに登録された発信元と内線電話機の番号に基づいて自動的にかけ直しを行うことができるという有利な効果が得られる。
【図面の簡単な説明】
【図１】本発明の実施の形態１による構内自動交換システムを示すブロック図
【図２】本発明の実施の形態２による構内自動交換システムを示すブロック図
【図３】従来の構内自動交換システムを示すブロック図
【符号の説明】
１Ａ、１Ｂ  構内自動交換機
２  局線インタフェース部
３  内線インタフェース部
４  通話路スイッチ部
５  システム制御部
６  データベース部
７  発信元番号記憶部
８  コールバック管理テーブル部
９  コールバック制御部
１０  コールバックタイマ部
Ａ１、Ｂ１、Ｃ１、Ｄ１、Ａ２、Ｂ２、Ｃ２、Ｄ２  内線電話機
ＣＢ１、ＣＢ２  コールバックボタン
【図１】
0003744231.tif 000004
【図２】
0003744231.tif 000005
【図３】
0003744231.tif 000006